(57)【要約】【課題】自発光を伴なわない反射表示型で低消費電力を実現し、比較的構成が簡単であり、屋外用の大型表示装置としても利用できる表示装置を提供する。【解決手段】表示装置は、外部光を反射する画素形成領域を有し、誘導電極及び駆動電極が配設された固定子１１と、上記固定子１１の前面に配置され、上記誘導電極及び上記駆動電極に対向する電極が配設された移動子１２とからなる表示部１、及び、上記固定子１１の誘導電極を経由して上記移動子１２の電極へ電荷を発生させると共に、上記電荷と上記固定子の駆動電極との間に静電力を発生させることで上記移動子１２を変位させる制御装置２を具備する。そして、制御装置２によって変位される上記移動子１２の変位量に応じて、上記固定子１１の画素形成領域による外部光の反射量を変化させて表示を行なう。【選択図】      図１
2005062730.tif 000002
【特許請求の範囲】
【請求項１】
外部光を反射する画素形成領域を有し、誘導電極及び駆動電極が配設された固定子と、
上記固定子の前面に配置され、上記誘導電極及び上記駆動電極に対向する電極が配設された移動子と、
上記固定子の誘導電極を経由して上記移動子の電極へ電荷を発生させると共に、上記電荷と上記固定子の駆動電極との間に静電力を発生させることで上記移動子を変位させる駆動手段と、
を具備し、
上記駆動手段によって変位される上記移動子の変位量に応じて、上記固定子の画素形成領域による外部光の反射量を変化させて表示を行なうことを特徴とする表示装置。
【請求項２】
複数の固定子を、各画素形成領域を除き互いに一部重畳させながら配置し、
上記重畳させた各固定子間にそれぞれ着色された移動子を配設し、
それら移動子を各々、対応する画素形成領域の略全領域にわたり変位移動させることを特徴とする請求項１に記載の表示装置。
【請求項３】
上記重畳させた各固定子間に、少なくともイエロー、シアン、マゼンタを含む印刷原色の何れかで着色された、その印刷原色数分の個数の移動子を重ねて配設し、
各移動子が独立して変位駆動されることで減法混色によるカラー表現を行うことを特徴とする請求項２に記載の表示装置。
【請求項４】
上記画像形成領域の背景色が白であることを特徴とする請求項３に記載の表示装置。
【請求項５】
上記重畳させた各固定子間に、少なくとも赤、緑、青を含む原色の何れかで着色された、その原色数分の個数の移動子を並べて配設し、
各移動子が独立して変位駆動されることで、外部光を反射して加法混色によるカラー表現を行うことを特徴とする請求項２に記載の表示装置。
【請求項６】
上記画像形成領域の背景色が黒であることを特徴とする請求項５に記載の表示装置。
【請求項７】
上記重畳させた各固定子間に、白及び黒の何れか一方で着色された移動子を配設し、
上記画像形成領域の背景色が白及び黒の何れか他方であることを特徴とする請求項２に記載の表示装置。
【請求項８】
上記移動子の電極を透明電極にしたことを特徴とする請求項１に記載の表示装置。
【発明の詳細な説明】
【技術分野】
【０００１】
本発明は、自発光を伴なわない外部光を反射して表示する表示装置に関し、特に、静電アクチュエータを利用することにより低消費電力で薄型を実現した、屋外などに設置できる大型の表示装置に関する。
【背景技術】
【０００２】
表示装置自体が発光せずに太陽や電灯などの外部光を反射して表示する表示装置として、反射型液晶表示器があり、セグメント液晶表示器として時計などで実用化されている。
【０００３】
一方、ノートパソコンなどの画素数の多い液晶表示装置では、ＴＦＴ型液晶表示装置が主流である。これは、表示装置自体に光源を内蔵しており、表示装置背面より光を照射し、その光量を液晶でコントロールして、画像や文字を表示している。ノートパソコンなどで使用される表示装置では、低消費電力が望まれている。そのため、ＶＧＡ規格の６４０＊４８０画素以上を表示できる反射型液晶表示器が研究されているが、反射型では、外部からの入射光が４回も偏光板を通過して光量が大きく減衰する構造であるため、高いコントラストを得るのが難しくなっている。従って、このように多画素液晶表示装置では、低消費電力が望まれているにもかかわらず、液晶のバックライト用に大きな電力を消費しているのが実情である。
【０００４】
これらの欠点を解決するために、特許文献１では、液晶を用いずに、高コントラスト表示が可能な表示装置を提案している。これは、表示基板の背面側に配設された複数の有色部材を表示面に対して垂直に出し入れすることで、反射光の強度を制御して画素の明るさを制御する反射型表示装置である。
【０００５】
他方、屋外用として、色の着いた円盤もしくは円筒を機械的にモータ等で回転させて、幾種類かの画面表示を持つ大型表示装置が駅前などに設置されている。これは、高コントラスト表示が可能であるものの、画素サイズが数ｃｍと大きく精細な表示ができなく、また応答速度が低すぎ、ＴＶなどの動画表示は不可能である。
【０００６】
なお、近年、大型の液晶表示装置やプラズマ表示装置が開発されているが、大型になるに従い製造装置が大型化すると共に歩留まりの問題が大きくなり、コストが非常に高くなっているのが現状である。
【０００７】
また、従来のＴＦＴ型液晶表示装置器は、マトリクス駆動を行うが、「行」と「列」の電気的なクロストークが発生するのを避けるために、各画素毎にトランジスタを配置する必要があり、回路が複雑化してコスト高の要因になっている。
【０００８】
また、従来の発光型表示器は、周囲が明るいほど表示器自体の輝度を高くしなければならず、明るいほど大電力を消費するという欠点があった。さらに、大画面化のための消費電力も大きく、家庭用に使用するには負担が大きい。
【０００９】
また近年、会議やホームシアターなどで大画面を投影表示するプロジェクタ表示装置の普及が著しいが、このプロジェクタ表示装置を使用するには部屋を暗くする必要があり、観察者の手元が暗くなり不都合を強いられている。
【特許文献１】特開２００１−２３５６８９号公報
【発明の開示】
【発明が解決しようとする課題】
【００１０】
前述したように、ノートパソコンなどにおいて低消費電力化の要求が強いにもかかわらず、偏光板の透過光量が低下するという欠点により完全な反射型液晶表示装置は実現できていない。
【００１１】
また、上記特許文献１に開示の反射型表示装置は、複数の有色部材を表示面に対して垂直に出し入れする構成であるために、その構造が極めて複雑で製作が難しい。また、カラー表示の実施例についても記載されているが、表示色数が数色と極めて少なく、肌色などの中間色を表現することが難しいという問題点もある。
【００１２】
本発明は、上記の点に鑑みてなされたもので、自発光を伴なわない反射表示型で低消費電力を実現し、比較的構成が簡単であり、且つ、屋外用の大型表示装置としても利用できる表示装置を提供することを目的とする。
【課題を解決するための手段】
【００１３】
上記の目的を達成するために、請求項１に記載の発明による表示装置は、
外部光を反射する画素形成領域を有し、誘導電極及び駆動電極が配設された固定子と、
上記固定子の前面に配置され、上記誘導電極及び上記駆動電極に対向する電極が配設された移動子と、
上記固定子の誘導電極を経由して上記移動子の電極へ電荷を発生させると共に、上記電荷と上記固定子の駆動電極との間に静電力を発生させることで上記移動子を変位させる駆動手段と、
を具備し、
上記駆動手段によって変位される上記移動子の変位量に応じて、上記固定子の画素形成領域による外部光の反射量を変化させて表示を行なうことを特徴とする。
【００１４】
また、請求項２に記載の発明による表示装置は、請求項１に記載の発明による表示装置において、
複数の固定子を、各画素形成領域を除き互いに一部重畳させながら配置し、
上記重畳させた各固定子間にそれぞれ着色された移動子を配設し、
それら移動子を各々、対応する画素形成領域の略全領域にわたり変位移動させることを特徴とする。
【００１５】
また、請求項３に記載の発明による表示装置は、請求項２に記載の発明による表示装置において、
上記重畳させた各固定子間に、少なくともイエロー、シアン、マゼンタを含む印刷原色の何れかで着色された、その印刷原色数分の個数の移動子を重ねて配設し、
各移動子が独立して変位駆動されることで減法混色によるカラー表現を行うことを特徴とする。
【００１６】
また、請求項４に記載の発明による表示装置は、請求項３に記載の発明による表示装置において、
上記画像形成領域の背景色が白であることを特徴とする。
【００１７】
また、請求項５に記載の発明による表示装置は、請求項２に記載の発明による表示装置において、
上記重畳させた各固定子間に、少なくとも赤、緑、青を含む原色の何れかで着色された、その原色数分の個数の移動子を並べて配設し、
各移動子が独立して変位駆動されることで、外部光を反射して加法混色によるカラー表現を行うことを特徴とする。
【００１８】
また、請求項６に記載の発明による表示装置は、請求項５に記載の発明による表示装置において、
上記画像形成領域の背景色が黒であることを特徴とする。
【００１９】
また、請求項７に記載の発明による表示装置は、請求項２に記載の発明による表示装置において、
上記重畳させた各固定子間に、白及び黒の何れか一方で着色された移動子を配設し、
上記画像形成領域の背景色が白及び黒の何れか他方であることを特徴とする。
【００２０】
また、請求項８に記載の発明による表示装置は、請求項１に記載の発明による表示装置において、
上記移動子の電極を透明電極にしたことを特徴とする。
【発明の効果】
【００２１】
本発明によれば、自発光を伴なわない反射表示型で低消費電力を実現し、比較的構成が簡単であり、且つ、屋外用の大型表示装置としても利用できる表示装置を提供することができる。
【発明を実施するための最良の形態】
【００２２】
以下、本発明を実施するための最良の形態を図面を参照して説明する。
【００２３】
［第１実施形態］  
図１（Ａ）に示すように、本発明の第１実施形態に係る表示装置は、表示部１と制御装置２とからなり、制御装置２にパソコンなどを接続し、そのパソコンなどの画面を大きく拡大して表示するものである。この表示部１の画面の大きさは、例えば横１０２４ｍｍ、高さ７６８ｍｍの比較的大きなもので、水平方向１０２４画素、垂直方向７６８画素のＸＧＡ規格に対応させた場合、１画素の大きさが約１ｍｍとなる。表示部１の基本部材は、フィルムなどを中心に構成されており、表示部１の厚さを薄く（例えば数ｍｍ）できるため、凹面や凸面に曲げての曲面表示が可能となる。
【００２４】
ここで、この表示部１の基本原理を、図１（Ｂ）乃至（Ｅ）を参照して説明する。なお、図１（Ｂ）は１画素のカラー発色している様子を示す斜視図であり、図１（Ｃ）はその断面図である。また、図１（Ｄ）はその状態での１画素をミクロ的に観察した場合の観察色を示す図であり、図１（Ｅ）はそれを遠方から観察した場合の観察色を示す図である。
【００２５】
即ち、表示部１の各画素は、共に白色に着色された基材フィルムで構成された固定子１１−１と隣接固定子１１−２との間に、シアン，マゼンタ，イエローにそれぞれ着色されたフィルム状の移動子１２Ｃ，１２Ｍ，１２Ｙが入れ込まれている。なお、参照番号１３は、隣接固定子１１−２の延長に位置している透明フィルム状の開口部であり、この位置が、画素形成領域となる。
【００２６】
このような構成において、白を表現する場合には、着色移動子１２Ｃ，１２Ｍ，１２Ｙを全て図示左端に移動させて隣接固定子１１−２の下に隠せば良い。即ちこのとき、上面側から観察すると、画素形成領域である開口部１３から固定子１１−１の色である背景色つまり白だけしか観察することができず、結果的に、観察者からは該画素は白画素として観察されることになる。
【００２７】
発色をさせるには、図１（Ｂ）及び（Ｃ）に示すように、所望する色に応じて各着色移動子１２Ｃ，１２Ｍ，１２Ｙをそれぞれ隣接固定子１１−２の下から突出移動させる。例えば、図１（Ｃ）のようにそれぞれを突出させた場合には、上面側から観察した図１（Ｄ）に示すように、画素形成領域である開口部１３からは、移動子１２Ｃの部分はシアンＣに、移動子１２Ｍと１２Ｃとが重なった部分はブルーＢに、移動子１２Ｙ，１２Ｍ，１２Ｃが全て重なった部分は黒Ｋとして観察される。これは、印刷で行われている「減法混色」の原理と同じで、白い紙の上にシアン，マゼンタ，イエローの３つのインクで全てのカラー発色を表現することと同じである。即ち、１画素内で３種類の印刷原色の面積を変えて重ねることで、減法混色を行い様々な色を呈示することができる。なお、１画素をミクロ的に観察すると、この図１（Ｄ）のように観察されるものであるが、これを遠方から観察すると、観察者の目には、微細な空間識別が不可能となり、その１画素内で混色されて、図１（Ｅ）のように１画素が１つの色（ここでは薄い紺色）として認識されることとなる。これも、印刷物が小さなドット単位の集合体で、画素の色を表現するのと同様である。
【００２８】
図２（Ａ）は、基材フィルムの関係を示す図で、各基材フィルム状の固定子１１−１，１１−２，１１−３，１１−４はそれぞれが瓦状に重なりあう、つまり、各画素形成領域を除き互いに一部重畳させながら配置される。即ち、例えば図の斜め上方向を行、横方向を列とすると、行方向では各画素Ｐは固定子がつながっているが、列方向画素は固定子が別に構成される。
【００２９】
また、上記移動子１２Ｙ，１２Ｍ，１２Ｃは、図２（Ｂ）に示すように、隣接する固定子間（図では固定子１１−１と固定子１１−２の間）に入れ込む。このように複数の固定子を重ねていくことで、発色に寄与しない移動子は、隣接画素形成領域の下側へもぐりこみ隠れるので、当該画素の画素形成領域である開口部１３（透明窓）の全領域で、各移動子１２Ｙ，１２Ｍ，１２Ｃが移動することができる。
【００３０】
このような瓦状の構成とすることで、表示部１の全面が発色され（発色できない領域が無い）、全面白や全面黒が表現できるようになり、印刷物と同様にコントラストの高い発色が可能となる。
【００３１】
次に、各移動子１２Ｙ，１２Ｍ，１２Ｃを変位駆動する原理を説明する。  
シアン，マゼンタ，イエローにそれぞれ着色された移動子１２Ｙ，１２Ｍ，１２Ｃは、図２（Ｂ）で示すようにそれぞれ部品として独立しており、直接に回路は接続されない。これらの移動子１２Ｙ，１２Ｍ，１２Ｃには静電誘導によって電荷を供給し、固定子に設けられた電極との間でクーロン力を発生させて、各移動子１２Ｙ，１２Ｍ，１２Ｃを動かす。
【００３２】
その基本原理となる静電誘導の原理を、図３（Ａ）及び（Ｂ）を用いて説明する。  
図３（Ａ）において、２つの電極３，４には、外部電源５から電圧Ｖが印加されており、その結果、電極３にはマイナス電荷（−）が、電極４にはプラス電荷（＋）が供給され、電極３，４間には電界Ｅが発生する。この状態において、図３（Ｂ）に示すように、導電体６をその電界Ｅの中に挿入すると、電気力線は切断される。その結果、導電体６の中の電界がゼロになるように図３（Ａ）の電気力線とは逆方向の電気力線を発生するべく導電体６表面にプラスとマイナスの電荷を発生する。このようにして発生される電荷を誘導電荷という。ここで、導電体６に注目してみると、この導電体６は外部回路に接続されていないにも関わらず、電界中ではその導体表面に電荷が発生することになる。
【００３３】
図４（Ａ）は、このような静電誘導の原理を利用した静電アクチュエータの固定子１１の電極構造を示す図であり、図４（Ｂ）は、同じく移動子１２の電極構造を示した図である。
【００３４】
ここに、固定子１１は、移動子１２へ静電誘導を起こすための誘導電極１１１−１，１１１−２及びそれら誘導電極１１１−１，１１１−２へ電気供給するための接続端子１１２−１，１１２−２と、移動子１２を変位駆動するための駆動電極１１３及びそれら駆動電極１１３に駆動電力を与える電気端子１１４とを備える。なお、電気端子１１４は４個の端子からなり、各端子と各駆動電極１１３との接続に関しては、図７を用いて後述する。固定子１１の構成例として、ポリイミドなどを基材とするフレキシブルＰＣ板を用いて、ＰＣ板の表面に誘導電極１１１−１，１１１−２を略並行に配置し、裏面に駆動電極１１３を設ける。
【００３５】
また、図４（Ｂ）に示す移動子電極１２１，１２２には、外部へ接続される端子は無く、前述した静電誘導の作用で電荷が供給される。なお前述したように、移動子１２は、減法混色を行うためシアン，マゼンタ，イエローで着色されたフィルター特性を持つ必要がある。そこで、移動子電極１２１，１２２は、ＩＴＯ（酸化インジウムスズ）などの透明電極とする。また、移動子１２は、固定子１１と同様にフレキシブルＰＣ板と同様な基材を用いて構成することができるが、光学的に特定の光を透過させる必要があるために、ポリエステルフィルムか、フッ素などを混入させた透明ポリイミドフィルムを採用して、シアン、マゼンタ、イエローなどを着色する。
【００３６】
移動子電極１２１，１２２は、変位駆動のため、プラス電荷とマイナス電荷を交互に配置する必要があるために、図４（Ｂ）に示すように、２つの櫛歯状電極が互いに凸凹が組み合わさるよう電極を組み合わせた構成とする。
【００３７】
また、固定子１１の駆動電極１１３の配列ピッチは、移動子電極１２１，１２２の櫛歯配列の１／２とすることで、後述する変位駆動を正確に行う。
【００３８】
図５は、固定子１１と移動子１２を重ねた状態において、静電誘導の作用により移動子１２に誘導電荷を発生する様子を説明する図である。  
固定子誘導電極１１１−１にプラスを、固定子誘導電極１１１−２にマイナスを印加すると、誘導電極１１１−２から誘導電極１１１−１に向かって電界Ｅが発生する。プラスの誘導電極１１１−１の上に移動子電極１２１のコモン部１２１ｃが重なっており、図３（Ａ）及び（Ｂ）で説明したように静電誘導の原理で移動子電極１２１の櫛歯端１２１ｔにはプラスの電荷が誘導される。他方、マイナスの誘導電極１１１−２の上には移動子電極１２２のコモン部１２２ｃが重なっており、移動子電極１２２の櫛歯端１２２ｔにはマイナス電荷が誘導される。
【００３９】
移動子電極１２１及び１２２の中央付近を注目すると、プラスとマイナスの電荷が交互に分布しており、この電荷分布に対して変位駆動を行う。変位駆動方向は図５中に示す矢印Ｆ方向であり、移動子１２が動いても移動子電極コモン部１２１ｃ，１２２ｃは常に固定子１１の誘導電極１１１−１，１１１−２の上に重なっているために、誘導電荷の分布が大きく変化することはない。
【００４０】
図６（Ａ）乃至（Ｃ）は、移動子１２を変位駆動する原理を説明するための図である。  
即ち、図６（Ａ）は、移動子１２が静止している状態を示すもので、固定子駆動電極１１３には、電圧−，−，＋，＋，−，−という具合に２個を一組として同極性の電圧が印加されている。一方、移動子電極１２１，１２２の櫛歯端１２１ｔ，１２２ｔには、＋，−，＋，−とプラス／マイナスの電荷が交互に誘導されている。この状態では、移動子電極１２１，１２２の櫛歯端１２１ｔ，１２２ｔの配列ピッチが固定子駆動電極１１３の配列ピッチの２倍であり、駆動電極１１３Ａ，１１３Ｂ，１１３Ｃ，１１３Ｄの電荷と移動子電極１２１，１２２の櫛歯端１２１ｔ，１２２ｔの電荷とはプラスとマイナスまたはマイナスとプラスで最短距離に位置する関係になり、互いに引き付け合う静電気吸引力が働き、移動子１２と固定子１１はお互い上下に引き付け合い、安定して静止している。
【００４１】
図６（Ｂ）は、固定子駆動電極１１３に電圧＋，−，−，＋，＋，…を印加させた場合で、移動子電極１２１，１２２の櫛歯端１２１ｔ，１２２ｔとの静電力の相互作用により、移動子１２が右方向に動こうとする力Ｆが働く。より詳細には、櫛歯端１２１ｔ，１２２ｔは斜め上右方向、斜め右下方向、上方向、下方向の力ベクトルが各電極に作用し、それらベクトル合成の結果、右方向の力ベクトルとなって力Ｆが働く。
【００４２】
この状態を保っておくと、図６（Ｃ）に示すように、移動子１２が電極ピッチＰｓに相当する長さだけ移動し、固定子１１と移動子１２との静電気吸引力が最大になる位置で静止する。この状態は、ピッチＰｓだけ移動したことを除けば図６（Ａ）と同じ状態であり、変位移動後は安定して静止する。
【００４３】
同様の原理により、図６（Ａ）の状態から逆方向に移動子１２を変位移動するには、固定子駆動電極１１３に電圧−，＋，＋，−，−，…を印加すれば良い。
【００４４】
図７は、固定子１１の駆動電極１１３の電極配線と、移動子１２を駆動させるための電圧印加法を説明するための図である。移動子１２を連続して動かすためには、図７に示すように、固定子駆動電極１１３へ印加する電圧パターンを時間ｔと伴に変化させていく。また、固定子駆動電極１１３は４個毎に同じ電圧が印加されるので、４個毎に信号線をまとめられる。
【００４５】
例えば、３ピッチ（３Ｐ）だけ移動子１２を移動させるには、信号線Ａ，Ｂ，Ｃ，Ｄには「＋，−，−，＋」，「＋，＋，−，−」，「−，＋，＋，−」と電圧を順次印加していき、「−，＋，＋，−」の電圧パターンでストップさせれば良い。
【００４６】
このように、固定子駆動電極１１３は４個毎に信号線をまとめられるので、上述したように４個の端子でなる電気端子１１４とすることができる。
【００４７】
なお、変位駆動させるために固定子駆動電極１１３に電位を与えるため、移動子１２に発生させる誘導電荷の分布に影響がでることが懸念されるが、静電誘導を発生させるための電界方向と、変位駆動するための電界方向とは空間的に直交しているために、静電誘導と変位駆動とが独立して作用するため問題は生じない。
【００４８】
今までの図３（Ａ）乃至図７を用いての説明は、分かり易いように直流を用いて説明したが、実際は交流信号を用いて駆動するため、次に実際の交流駆動について説明する。
【００４９】
図３（Ａ）及び（Ｂ）で説明した静電誘導の原理においては、電極３，４への印加電圧が交流になっても、回路時定数が小さい限り誘導電荷の極性がプラス／マイナス交互に切り替わるだけで、直流同様に静電誘導は起きる。
【００５０】
交流駆動の場合には、図８に示すように、固定子１１には、交流発生装置１４の出力信号をもとにアンプ１５−１及び高圧トランス１６−１を通して発生された高圧電圧が印加されると同時に、上記交流発生装置１４の出力信号を位相器１７で遅延させた信号を高圧アンプ１５−２及び高圧トランス１６−２を通すことで発生された高圧電圧が印加される。この場合、高圧トランス１６−１，１６−２の出力は、固定子１１の駆動電極１１３へ電気端子１１４（接続端子Ａ，Ｂ，Ｃ，Ｄ）を通じて印加される。また、交流駆動源１８の出力が固定子１１の誘導電極１１１−１，１１１−２へ接続端子１１２−１と１１２−２を通じて印加される。
【００５１】
図９（Ａ）乃至（Ｅ）は、各電極へ印加される電圧によって交番電位分布を形成する様子を説明するもので、図９（Ａ）は移動子電極１２１，１２２の櫛歯端１２１ｔ，１２２ｔに静電誘導により発生した誘導電荷による電位波形を示す。ここで、黒塗り三角印の部分が移動子電極１２１の櫛歯端１２１ｔのプラス電荷で作用する電位、二重丸印の部分が移動子電極１２２の櫛歯端１２２ｔのマイナス電荷で作用する電位を示す。静電誘導では、導電体表面に誘導電荷を発生し、移動子電極１２１の櫛歯端１２１ｔと移動子電極１２２の櫛歯端１２２ｔのプラス／マイナス電荷同士が引き付け合うので、両櫛歯端１２１ｔ，１２２ｔに電荷が集まることになる。櫛歯端２ピッチで空間周波数１周期となり、サンプリングポイントとして４点あるため、サンプリング定理の条件を満たしている。
【００５２】
図９（Ｂ）は、移動子電極１２１，１２２の櫛歯端１２１ｔ，１２２ｔと固定子１１の駆動電極１１３との断面の関係を示すもので、駆動電極１１３は図９（Ｅ）に示すように４個毎にまとめられて結線されている。ここにラインＡにマイナス電位（丸印）、ラインＢにゼロ電位（白抜き三角印）、ラインＣにプラス電位（バツ印）、ラインＤにゼロ電位（菱形印）を印加すると、固定子１１の駆動電極１１３上の電位は、図９（Ｃ）に示すようになる。この電位分布（図９（Ｃ））と移動子１２の電位分布（図９（Ａ））の間には静電気吸引力が働くため、移動子１２（移動子電極１２１，１２２の櫛歯端１２１ｔ，１２２ｔ）には右方向へ動こうとする力が働く。
【００５３】
同様に、図９（Ｄ）は、ラインＡにゼロ電位（丸印）、ラインＢにマイナス電位（三角印）、ラインＣにゼロ電位（バツ印）、ラインＤにプラス電位（菱形印）を印加した場合の空間電位分布を示すもので、移動子１２の電位分布（図９（Ａ））との間には、移動子１２（移動子電極１２１，１２２の櫛歯端１２１ｔ，１２２ｔ）が左に動こうとする静電気吸引力が働く。
【００５４】
図９（Ｅ）は、駆動電極１１３の結線を示すもので、ラインＡは高圧トランス１６−１の２次側正極性巻き線へ、ラインＣは同じ高圧トランス１６−１の２次側負極性巻き線に接続される。また、ラインＢは高圧トランス１６−２の２次正極性巻き線へ、ラインＤは高圧トランス１６−２の２次側負極性巻き線へ接続される。さらに、高圧トランス１６−１の一次側入力と、高圧トランス１６−２の一次側入力の位相を９０度異ならせることで、図９（Ｃ）や図９（Ｄ）に示すような、正弦波状の空間電位分布を容易に作りだすことができる。
【００５５】
位相を変えるのは、図８に示す位相器１７で、図９（Ｃ）は高圧トランス１６−１の一次入力を高圧トランス１６−２の一次入力に対して、位相を９０度進ませた場合を示し、図９（Ｄ）は同様に位相を９０度遅らせた場合を示す。
【００５６】
この図９（Ｅ）で示す駆動電極１１３とトランス１６−１，１６−２を用いた結線は、電極の配列空間を時間軸に当てはめて考えると、高周波信号を直交サンプリングして、実数部と虚数部とかなる複素数信号を作る技術と類似している。
【００５７】
なお、図９（Ａ）乃至（Ｅ）は、移動子電極１２１，１２２の櫛歯端１２１ｔ，１２２ｔにプラスとマイナスの交番電荷が形成される様子を説明したものであるが、その移動子電極１２１，１２２の櫛歯端１２１ｔ，１２２ｔは、機能に応じて電極の部位を分けて考えることもできる。
【００５８】
即ち、同図において、固定子１１の誘導電極１１１−１，１１１−２に対向して上部に位置している移動子電極１２１，１２２のコモン部１２１ｃ，１２２ｃは静電誘導を受ける元となる部分であるから被誘導電極部とし、それ以外の移動子電極１２１，１２２の櫛歯端１２１ｔ，１２２ｔ部は変位駆動されるときに作用を受けるものであるから被駆動電極部として分類できる。被駆動電極部は入れ子状になった２つの電極で構成され、前述の交番電荷がこの電極部に形成されることとなる。
【００５９】
図１０は、固定子１１の裏面より見た電極構成を詳細に示す図で、例えばポリイミド基材で構成された絶縁体１１５の裏面に駆動電極１１３をピッチＰｓで並べ、それを図９（Ａ）乃至（Ｅ）で説明した４個毎にまとめて縦のラインを用いて結線する。このとき、電気端子１１４の内、結線Ａライン及びＢラインは裏面に、結線Ｃライン及びＤラインは表面にてスルーホールを径由して結線すると、左右対称になりまとまりが良い。
【００６０】
また、誘導電極１１１−１，１１１−２は固定子１１の表面に配置され、それを接続端子１１２−１と１１２−２で引き出す。このように、全ての電極結線が固定子１１の表面と裏面のみで完結するため、固定子１１は両面のフレキシブルＰＣ板などで簡単に製造することができる。
【００６１】
図１１（Ａ）乃至（Ｃ）は、固定子１１または移動子１２に発生する進行波と、その進行波同士の作用によって移動子１２が所定の速度で移動する原理を説明するための図である。
【００６２】
即ち、図１１（Ａ）は移動子１２に発生する進行波を説明するもので、横軸が電極配列方向の空間、縦軸が時間軸を表す。ある時間ｔには、移動子電極１２１の櫛歯端１２１ｔと１２２ｔには図９（Ａ）で説明したように、電極空間に交番電位分布が生じる。この交番電位分布は２Ｐｍを１周期とする空間周波数を形成する。そして、図１１（Ａ）右端に示されている周波数ｆｍの交流電圧を電極配列に印加すると、各電極に位相オフセットが加えられた状態で電位が周波数ｆｍで変化していく。即ち、電極配列に空間的な位相オフセットを与えて交流信号を印加すると、時間と伴に空間上の電位分布が移動していく。これは、進行波と呼ばれ、移動子１２の進行波速度Ｖｍは図中の太い点線で示した傾きとなり次式で与えられる。
【００６３】
Ｖｍ＝Δｄｍ／Δｔｍ
＝２Ｐｍ・ｆｍ＝４Ｐｓ・ｆｍ                  ……（式１）
これより、進行波速度は、電極間ピッチＰｍ及び交流電圧の周波数ｆｍが大きいほど大きくなることがわかる。
【００６４】
図１１（Ａ）の細い点線で示した波形は、移動子電極１２１，１２２の櫛歯端１２１ｔ，１２２ｔでゼロ電位となっているため実際には存在しないが、時間的に補間することにより得られる仮想的な空間電位分布波形である。
【００６５】
図１１（Ｂ）は、固定子１１の駆動電極１１３Ａ，１１３Ｂ，１１３Ｃ，１１３Ｄに発生する進行波を説明するための図である。移動子１２の進行波速度Ｖｍで説明したことと同様の原理により、駆動電極１１３Ａ，１１３Ｂ，１１３Ｃ，１１３Ｄに周波数ｆｓでオフセット位相を加えて印加すると、進行波が生じ、この進行波の移動速度Ｖｓは、図中の太い実線で示され次式で与えられる。
【００６６】
Ｖｓ＝Δｄｓ／Δｔｓ
＝４Ｐｓ・ｆｓ＝２Ｐｍ・ｆｓ                  ……（式２）
例えば、固定子印加周波数ｆｓを移動子印加周波数ｆｍの１／２とすると、進行波の移動速度を示す図１１（Ｂ）の太い実線の傾きは図１１（Ａ）に比べて１／２となる。
【００６７】
次に、移動子１２の電極配列空間に図１１（Ａ）で示す進行波が、固定子１１の駆動電極の配列空間に図１１（Ｂ）で示す進行波が発生している状態において、移動子１２と固定子１１は重ね合わせたときの動作を説明する。移動子１２の電極の誘導電荷の極性と、固定子電極の誘導電荷の極性の組み合わせに応じて次の吸引力，反発力が働く。
【００６８】
（ａ）移動子の電極  ＋ ，固定子電極  − で  吸引力
（ｂ）移動子の電極  − ，固定子電極  ＋ で  吸引力
（ｃ）移動子電極    ＋ ，固定子電極  ＋ で  反発力
（ｄ）移動子電極    − ，固定子電極  − で  反発力
この関係により、図１１（Ａ）で示す移動子１２の進行波と図１１（Ｂ）で示す固定子１１の進行波では、お互いのプラスの誘導電荷「波形の山部」とマイナスの誘導電荷「波形の谷部」が空間的に一致するように静電気吸引力が働く。交流駆動で興味深いことは、上記組み合わせ（ａ）と組み合わせ（ｂ）の関係または組み合わせ（ｃ）と組み合わせ（ｄ）の関係では、それぞれ極性が＋／−で異なるものの、移動子１２と固定子１１が両方同時に極性反転すれば吸引／反発力は変化しないということである。このため、電極配列の誘導電荷極性が正弦波状に変化しても、相手側の誘導電荷極性も同様に正弦波状に変化すれば、静電気吸引力の作用は図６（Ａ）乃至（Ｃ）において説明したように直流印加時に作用する静電力とほとんど同じである。
【００６９】
このような作用を受けて、図１１（Ｃ）に示すように固定子１１の駆動電極１１３の進行波速度が、移動子１２の進行波速度Ｖｍと等しくなりように固定子１１が動くこととなる。このとき図１１（Ａ）の太い点線傾きと、図１１（Ｃ）の太い実線の傾きが同じくなり、固定子１１の移動速度はＶ＝Δｄ／Δｔとなる。説明の都合上、固定子１１が速度Ｖで動くとしたが、固定子を基準にすると移動子１２が速度−Ｖ＝−Δｄ／Δｔで移動することになる。
【００７０】
移動子１２の速度Ｖは次式で与えられる。
【００７１】
Ｖ＝Ｖｍ−Ｖｓ
＝２Ｐｍ・ｆｍ−４Ｐｓ・ｆｓ
＝４Ｐｓ（ｆｍ−ｆｓ）                          ……（式３）
次に、図１２（Ａ）乃至（Ｃ）を用いて、固定子１１または移動子１２に発生する進行波同士の位相オフセット作用によって移動子１２が所定の距離だけ変位する原理を説明する。
【００７２】
ここで、図１２（Ａ）は、図１１（Ａ）で説明した進行波の図と全く同じで、太い点線で示したのが進行波の空間移動を示す軌跡である。
【００７３】
所定の距離だけ移動子を動かすために、図１２（Ｂ）に示すように、固定子１１の駆動電極１１３に印加する交流電圧を周波数は同じままで、位相のみを途中からΔθだけオフセットさせる。このとき、進行波の空間移動の軌跡は、太い実線で示すように図１２（Ａ）の傾きと同じで、途中から段差をもったものとなる。
【００７４】
このようにして、移動子１２の電極配列に図１２（Ａ）で示す進行波が発生し、固定子１１の駆動電極の配列には図１２（Ｂ）で示す段差付きの進行波が発生している状態において、移動子１２と固定子１１を重ね合わせたときの動作を説明する。
【００７５】
図１２（Ｃ）は、移動子１２の進行波と固定子１１の進行波が静電気吸引力で吸引しあった状態を示すもので、図１２（Ａ）の太い点線で示される移動子１２の進行波の空間変位の軌跡に、図１２（Ｂ）で示される固定子１１の進行波の空間変位軌跡が一致するように重ねると、軌跡の段差が無くなる変わりに、固定子１１の電位分布が空間方向にΔｄだけシフトすることとなる。これは、基準を固定子１１におくと移動子１２が−Δｄだけ単純に移動したことと等価である。このように、固定子１１の駆動電極１１３に印加する交流電圧の位相をΔθだけ変化（オフセット）させるだけで、移動子１２の変位をΔｄだけ動かすことができる。この変位量Δｄは次式で与えられる。
【００７６】
Δｄ＝４Ｐｓ・Δθ／２π                          ……（式４）
この式から、Δθの設定をπ／２単位で設定すると、電極ピッチＰｓ単位で変位することがわかる。また、電極ピッチＰｓを小さくするほど、位置決め精度は高くなる。
【００７７】
また、固定子１１または移動子１２に与える位相オフセットは、１８０度以上になると、ベクトル位相空間が第３象現となり急に負の位相オフセットと等価になり、位相オフセットが小さいときと逆の方向に移動子１２が変位するため、ここで与える位相オフセットはプラス／マイナスの１８０度以下の位相オフセットとするのが好ましい。
【００７８】
図１２（Ａ）の太い点線で示される移動子進行波の谷部分（マイナス誘導電荷）と図１２（Ｂ）の太い実線で示される固定子進行波の山部分（プラス誘導電荷）で構成される凹凸部は、例えて言うとギヤのように噛み合う。この噛み合いの精度が高いほど、位置決め精度が高くなる。ギヤの歯数が少なく噛み合わせが粗くても、歯同士がうまく噛み合いガタが少ないと、ギヤの歯数以上に細かく回転制御することが可能となる。
【００７９】
本実施形態もこのギヤと同様で、位相オフセットΔθをπ／２以内の精度で細かく設定すると電極ピッチＰｓ以下の精度で変位可能となる。電極の構造や精度にもよるが、例えば位相オフセットΔθを±５度と小さくすると、それに対応した変位量Δｄは４Ｐｓ・５／３６０＝Ｐｓ／１８となる。例えばこの場合、固定子電極のピッチＰｓを１８０μｍとすると、１０μｍで微細の制御できることになる。
【００８０】
図１３は、交流駆動源１８及び交流発生装置１４をより詳細に説明するもので、参照番号１９は交流源制御装置でダイレクトシンセサイザ技術を用いたＩＣやＤ／Ａ変換器、信号増幅用アンプなどを用いて構成される。
【００８１】
アクチュエータを動作させる設定として、移動子１２の速度Ｖｓｅｔと、変位量Ｄｓｅｔとを外部より入力する。
【００８２】
この入力速度Ｖｓｅｔは演算回路１９１に入力され、該演算回路１９１によりΔｆ＝Ｖｓｅｔ／４Ｐｓを演算し、次段の交流発生装置１４でＧｓ＝ｓｉｎ［２π（ｆｍ−Δｆ）ｔ］を発生して、固定子１１の駆動電極１１３の配列に駆動周波数ｆｓ＝ｆｍ−Δｆの進行波をつくる。
【００８３】
また、入力変位量Ｄｓｅｔは演算回路１９２に入力され、該演算回路１９２により上記入力変位量Ｄｓｅｔを変位量Δｄとして上記式（４）よりΔθ＝２π・Δｄ／４Ｐｓを演算し、次段の交流駆動源１８でＧｍ＝ｓｉｎ［２πｆｍｔ＋Δθ］を発生して、移動子１２の電極１２１，１２２の配列に進行波をつくる。
【００８４】
ここで、移動子１２の速度Ｖは、前述式（３）より固定子１１の駆動周波数ｆｓと移動子１２の駆動周波数ｆｍとの差によって決まるので、差の周波数Δｆによって移動子１２の速度Ｖが決定され、移動子１２の位置は駆動交流源ＧｍとＧｓの位相差Δθによって決定される。
【００８５】
この位相と周波数との関係は、変位と速度との関係とうまく対応している。即ち、移動子１２の速度Ｖは変位量Δｄの時間微分Ｖ＝Δｄ／Δｔで与えられ、駆動交流源ＧｍとＧｓの周波数差Δｆで決定される。一方、この周波数差Δｆは位相の時間微分とΔｆ＝Δθ／Δｔの関係があるために、次のような関係が成立する。
【００８６】
Ｖ  →  Δｆ
Δｄ  →  Δθ
静止している状態すなわち移動速度がゼロの場合は、周波数の差Δｆをゼロとし、例えば右方向では周波数差Δｆが正となるように、左方向へ動かすには周波数差Δｆが負となるように、設定すればよい。
【００８７】
また、移動速度は周波数差で、変位は位相差で独立して設定することができ、特に位相差を与えることでダイレクトに変位制御できることは、エンコーダなどの位置センサが不要になり制御が極めて簡単になる。特に、所定の位相差を回数を分けて印加することで、リニアステッピングモータのような使用法ができ、オープンループで簡単に位置決めができる。
【００８８】
以上説明したような静電アクチュエータの構成を各画素に適用すれば、各移動子１２Ｙ，１２Ｍ，１２Ｃを変位駆動できる。
【００８９】
なお、画素毎の発色は、移動子１２Ｙ，１２Ｍ，１２Ｃの変位移動によって行うが、１画素の大きさは１ｍｍ＊１ｍｍとした場合の色調（色数）は次のようになる。固定子１１をフレキシブルＰＣ板で構成し、電極ピッチＰｓを１８０μｍとすると、上述した制御法により、１０μｍ程度の精度で変位できる。このため、１色あたりの階調数は１ｍｍ／１０μｍ＝１００となる。３色で混色するから発色数は１００＊１００＊１００＝１０万色となり、普通のカラー画像は十分に表現できる仕様となる。
【００９０】
また、上記静電アクチュエータの説明では、１個の移動子駆動の場合であり、実際にはシアン移動子１２Ｃ，マゼンタ移動子１２Ｍ，イエロー移動子１２Ｙがあるので、３個の移動子を駆動する必要がある。このためには、駆動電極１１３を各移動子毎に３個独立して配置することで、同時に駆動する。そして、それらの駆動のため、各移動子毎に交流源制御装置１９、更にはそのための上記設定値（速度Ｖｓｅｔ、変位量Ｄｓｅｔ）を設定するための回路が、上記制御装置２内に構成されるものである。即ち、制御装置２は、表示する画像の各画素の色に基づいて、各画素の各移動子の変位を制御することとなる。
【００９１】
なお、以上説明した第１実施形態では、減法混色で発色させるために、シアン、マゼンタ、イエローの３種の印刷原色で移動子を構成したが、この場合、黒色を表現するとくすんだ黒となるため、印刷と同じように黒の移動子を追加して４種の印刷原色の移動子とすると、発色性が向上する。勿論、このような３種、４種に限定されるものではなく、印刷と同様に６種等、さらに多数の印刷原色を用いることができる。
【００９２】
以上、詳細に説明したように、本第１の実施形態に係る表示装置は、外部光を反射して表示するため、液晶表示装置などで使用されるバックライトが不要であり、プラズマディスプレイのような発光電力も必要ない。加えて、本表示装置は、発色を機械的な駆動で行っているために摩擦などによるメモリ効果があるため、静止画像部分は移動子を動かす必要がなく、このため静止画表示などでは、ほとんど電力を消費することがない。
【００９３】
また、反射型であるために、普通の絵画やポスターなどと同じで、直射日光下や明るい部屋でも問題なく観察可能である。このことは、周囲が明るい所ほど輝度を高くして消費電力が大きくなる従来の発光型表示装置と大きく異なる点である。
【００９４】
さらに、本表示装置は、基本的にはフィルムの重ね合わせで構成されているために、厚さを極めて薄くできると同時に、ある程度の曲げも可能である。このため、櫛歯状電極を配置したフィルムを中心に構成できるため容易に大画面化が可能である。このことは、直射日光下でも観察可能であるという特徴と併せて、駅前の街頭などに設置される超大型の屋外用表示器とすることも可能である。
【００９５】
更にこの場合、移動子への結線が不要であり、その結果、耐久性が向上すると伴に、移動子の変位移動の制限も無くなり、表示開口部全てにわたり変位移動でき、印刷物と同様なコントラストの高い発色が可能となってくる。
【００９６】
また、移動子は原色毎に完全に独立した画素サイズの小さな部材で良いために、その移動子の製造は至って簡単となり、製造コストも低くできるというメリットが生まれてくる。
【００９７】
［第２実施形態］  
次に、本発明の第２実施形態を説明する。
【００９８】
上記第１実施形態では、カラー発色させるために、白地のベースに印刷同様の減法混色のやり方によりシアン、マゼンタ、イエローの移動子１２を出し入れする方法を説明したが、良く知られた赤、青、緑の加法混色の発色を利用することもできる。
【００９９】
図１４は、そのような加工混色による発色を行う場合の構成を示す図である。ベースとなる固定子１１−１，１１−２は黒く着色されており、１画素内に、赤く着色された移動子１２Ｒ、緑に着色された移動子１２Ｇ、青く着色された移動子１２Ｂが併設して配置される。
【０１００】
このような構成において、発色させない場合は、各移動子１２Ｒ，１２Ｇ，１２Ｂを隣接固定子１１−２の下にもぐり込ませ、黒色となる。発色させる場合は、ＣＲＴや液晶ディスプレイと同様にしてＲＧＢの各色素に対応する移動子１２Ｒ，１２Ｇ，１２Ｂを移動突出させる。この場合、黒は「真っ黒」を表現できるが、白は空間分割されているために、「真っ白」は表現できなく灰色っぽい白となる。
【０１０１】
このように、加法混色を用いることが可能であり、この場合にも、上記第１実施形態と同様の効果を奏することができる。
【０１０２】
以上実施形態に基づいて本発明を説明したが、本発明は上述した実施形態に限定されるものではなく、本発明の要旨の範囲内で種々の変形や応用が可能なことは勿論である。
【０１０３】
例えば、図示しないが、黒く着色した移動子と、白色の固定子とでモノクロの表示部を構成することもできる。
【０１０４】
（付記）
前記の具体的実施形態から、以下のような構成の発明を抽出することができる。
【０１０５】
（１）  外部光を反射する画素形成領域を有し、誘導電極及び駆動電極が配設された固定子と、
上記固定子の前面に配置され、上記誘導電極及び上記駆動電極に対向する電極が配設された移動子と、
上記固定子の誘導電極を経由して上記移動子の電極へ電荷を発生させると共に、上記電荷と上記固定子の駆動電極との間に静電力を発生させることで上記移動子を変位させる駆動手段と、
を具備し、
上記駆動手段によって変位される上記移動子の変位量に応じて、上記固定子の画素形成領域による外部光の反射量を変化させて表示を行なうことを特徴とする表示装置。
【０１０６】
（対応する実施形態）  
この（１）に記載の表示装置に関する実施形態は、第１及び第２実施形態が対応する。  
（作用効果）  
この（１）に記載の表示装置によれば、移動子の変位量に応じて固定子の画素形成領域による外部光の反射量を変化させて表示を行なうため、液晶表示器などで使用されるバックライトが不要であり、プラズマディスプレイのような発光電力も必要ない。加えて、発色を機械的な駆動で行っているために摩擦などによるメモリ効果があるため、静止画像部分は移動子を動かす必要がなく、このため静止画表示などでは、ほとんど電力を消費することがない。さらに、反射型であるために、普通の絵画やポスターなどと同じで、直射日光下や明るい部屋でも問題なく観察可能であり、このことは、周囲が明るい所ほど輝度を高くして消費電力が大きくなる従来の発光型表示器に対して大きな利点である。
【０１０７】
（２）  複数の固定子を、各画素形成領域を除き互いに一部重畳させながら配置し、
上記重畳させた各固定子間にそれぞれ着色された移動子を配設し、
それら移動子を各々、対応する画素形成領域の略全領域にわたり変位移動させることを特徴とする（１）に記載の表示装置。
【０１０８】
（対応する実施形態）  
この（２）に記載の表示装置に関する実施形態は、第１及び第２実施形態が対応する。  
（作用効果）  
この（２）に記載の表示装置によれば、固定子を瓦状に配置することで、全画素にわたり表示開口を最大化して移動子を変位移動できるため、表示コントラストを大きく改善する。また、表示コントラストが大きいために、開口面にミラーやプリズムなどの光学素子を設ける必要がなく、視野角の制限も受けない。
【０１０９】
（３）  上記重畳させた各固定子間に、少なくともイエロー、シアン、マゼンタを含む印刷原色の何れかで着色された、その印刷原色数分の個数の移動子を重ねて配設し、
各移動子が独立して変位駆動されることで減法混色によるカラー表現を行うことを特徴とする（２）に記載の表示装置。
【０１１０】
（対応する実施形態）  
この（３）に記載の表示装置に関する実施形態は、第１実施形態が対応する。  
（作用効果）  
この（３）に記載の表示装置によれば、着色された複数の移動子を重ねてそれらの変位移動により表示を行うことで、印刷物と同様なコントラストの高い表示が可能となる。
【０１１１】
（４）  上記画像形成領域の背景色が白であることを特徴とする（３）に記載の表示装置。
【０１１２】
（対応する実施形態）  
この（４）に記載の表示装置に関する実施形態は、第１実施形態が対応する。  
（作用効果）  
この（４）に記載の表示装置によれば、全ての移動子を画像形成領域外に変位移動したときに背景色である白色が現れ、それによって「真っ白」を呈示できるため、コントラストの高い表示が可能となる。
【０１１３】
（５）  上記重畳させた各固定子間に、少なくとも赤、緑、青を含む原色の何れかで着色された、その原色数分の個数の移動子を並べて配設し、
各移動子が独立して変位駆動されることで、外部光を反射して加法混色によるカラー表現を行うことを特徴とする（２）に記載の表示装置。
【０１１４】
（対応する実施形態）  
この（５）に記載の表示装置に関する実施形態は、第２実施形態が対応する。  
（作用効果）  
この（５）に記載の表示装置によれば、複数移動子を並べて固定子間に入れ込むことで、コントラスト特性を犠牲にするものの、構成を単純にし、製造コストを安くできる。
【０１１５】
（６）  上記画像形成領域の背景色が黒であることを特徴とする（５）に記載の表示装置。
【０１１６】
（対応する実施形態）  
この（６）に記載の表示装置に関する実施形態は、第２実施形態が対応する。  
（作用効果）  
この（６）に記載の表示装置によれば、全ての移動子を画像形成領域外に変位移動したときに背景色である黒色が現れ、それによって「真っ黒」を呈示できるため、コントラストの高い表示が可能となる。
【０１１７】
（７）  上記重畳させた各固定子間に、白及び黒の何れか一方で着色された移動子を配設し、
上記画像形成領域の背景色が白及び黒の何れか他方であることを特徴とする（２）に記載の表示装置。
【０１１８】
（作用効果）  
この（７）に記載の表示装置によれば、移動子の変位移動によりモノクロの階調表示が可能となる。
【０１１９】
（８）  上記移動子の電極を透明電極にしたことを特徴とする（１）に記載の表示装置。
【０１２０】
（対応する実施形態）  
この（８）に記載の表示装置に関する実施形態は、第１及び第２実施形態が対応する。  
（作用効果）  
この（８）に記載の表示装置によれば、透明電極とすることで、電気特性と光学特性を両立させることができる。
【産業上の利用可能性】
【０１２１】
本発明の表示装置は、比較的大型に向いており、会議室用のプレゼンテーション表示などに用いると、会議室を暗くする必要がなくなるために、聴衆者の手元を明るくでき学会発表やプレゼンテーションのあり方を大きく変えていく可能性を秘めている。
【０１２２】
また、比較的安価に製作でき、合わせて消費電力も少ないことから、家庭用ホームシアターとして利用することができる。特に、表示部自体から発光することがないために、絵画やポスターと同じ感覚で鑑賞することができ眼に優しく、視力の疲れを感じさせない表示が可能となってくる。
【図面の簡単な説明】
【０１２３】
【図１】（Ａ）は本発明の第１実施形態に係る表示装置の外観を示す図、（Ｂ）は１画素のカラー発色している様子を示す斜視図、（Ｃ）はその断面図、（Ｄ）はその状態での１画素をミクロ的に観察した場合の観察色を示す図であり、（Ｅ）はそれを遠方から観察した場合の観察色を示す図である。
【図２】（Ａ）は基材フィルム状の各固定子の配置関係を示す斜視図であり、（Ｂ）は移動子の組み込み法を説明するための図である。
【図３】（Ａ）は電極間に発生する電界を説明するための図であり、（Ｂ）は導電体に発生される誘導電荷を説明するための図である。
【図４】（Ａ）は固定子の電極構造を示す図であり、（Ｂ）は移動子の電極構造を示す図である。
【図５】移動子電極へ誘導電荷を発生する様子を説明するための図である。
【図６】静電アクチュエータの動作原理を説明するための図である。
【図７】固定子の電極配線と電圧印加法を説明するための図である。
【図８】交流駆動を行う場合の静電アクチュエータの概略構成を示す図である。
【図９】移動子及び固定子の誘導電荷がつくる電位分布を説明するための図である。
【図１０】固定子の電極構造を詳しく説明するための図である。
【図１１】移動時の進行波の関連を説明するための図である。
【図１２】変位時の進行波の関連を説明するための図である。
【図１３】交流駆動源制御装置を説明するための図である。
【図１４】本発明の第２実施形態に係る表示装置における１画素のカラー発色している様子を示す斜視図である。
【符号の説明】
【０１２４】
１…表示部、  ２…制御装置、  １１，１１−１，１１−２，１１−３，１１−４…固定子、  １２，１２Ｃ，１２Ｍ，１２Ｙ，１２Ｒ，１２Ｇ，１２Ｂ…移動子、  １３…開口部、  １４…交流発生装置、  １５−１，１５−２…高圧アンプ、  １６−１，１６−２…高圧トランス、  １７…位相器、  １８…交流駆動源、  １９…交流源制御装置、  １１１−１，１１１−２…誘導電極、  １１２−１，１１２−２…接続端子、  １１３，１１３Ａ，１１３Ｂ，１１３Ｃ，１１３Ｄ…駆動電極、  １１４…電気端子、  １１５…絶縁体、  １２１，１２２…移動子電極、  １２１ｃ，１２２ｃ…コモン部、  １２１ｔ，１２２ｔ…櫛歯端、  １９１，１９２…演算回路。
【図１】
2005062730.tif 000003
【図２】
2005062730.tif 000004
【図３】
2005062730.tif 000005
【図４】
2005062730.tif 000006
【図５】
2005062730.tif 000007
【図６】
2005062730.tif 000008
【図７】
2005062730.tif 000009
【図８】
2005062730.tif 000010
【図９】
2005062730.tif 000011
【図１０】
2005062730.tif 000012
【図１１】
2005062730.tif 000013
【図１２】
2005062730.tif 000014
【図１３】
2005062730.tif 000015
【図１４】
2005062730.tif 000016